(57)【要約】【課題】運搬の際の作業性を改善することが可能な温水装置を提供する。【解決手段】一実施形態に係る温水装置は、第１側板と、第２側板とを有する筐体と、第１側板に設けられる筐体を把持するための把持部とを備える。第２側板は、第１側板に連なる。第２側板の幅は、第１側板の幅以上である。【選択図】図１
2019095104.tif 000002
【特許請求の範囲】
【請求項１】
第１側板と、前記第１側板に連なる第２側板とを有する筐体と、
前記第１側板に設けられる前記筐体を把持するための把持部とを備え、
前記第２側板の幅は、前記第１側板の幅以上である、温水装置。
【請求項２】
前記把持部は、前記第１側板に取り外し可能に取り付けられる、請求項１に記載の温水装置。
【請求項３】
固定部材をさらに備え、
前記筐体には、前記第１側板を厚さ方向に貫通し、かつ、前記固定部材が通される貫通穴が設けられ、
前記把持部は、前記貫通穴に通された前記固定部材により前記第１側板に取り付けられる、請求項２に記載の温水装置。
【請求項４】
前記把持部は、前記第１側板の幅方向に沿って延在し、かつ、前記第１側板から離間して配置されるグリップ部と、前記グリップ部から前記第１側板に向かって延在する支持部とを有する、請求項３に記載の温水装置。
【請求項５】
前記筐体は、底板をさらに有し、
前記底板は、底部と、前記第１側板と重なるように前記底部から折れ曲がる起立部を含み、
前記貫通穴は、前記第１側板及び前記起立部を厚さ方向に貫通する、請求項３又は請求項４に記載の温水装置。
【請求項６】
前記起立部は、前記底部に接続される第１部分と、前記貫通穴が設けられ、かつ前記第１部分よりも上方に張り出す第２部分とを含む、請求項５に記載の温水装置。
【請求項７】
前記筐体は、前記第１側板と対向し、かつ、前記筐体から取り外し可能な第３側板をさらに有する、請求項３又は請求項４に記載の温水装置。
【請求項８】
前記筐体は、前記把持部を前記第１側板から取り外すことにより、前記固定部材により前記筐体を載置するための取り付け台に取り付け可能に構成される、請求項７に記載の温水装置。
【発明の詳細な説明】
【技術分野】
【０００１】
本発明は、温水装置に関する。
【背景技術】
【０００２】
従来から、実用新案登録第２５４４２８０号公報（特許文献１）に記載の給湯器が知られている。特許文献１に記載の給湯装置は、外装ケースを有している。外装ケースは、周側板と、前板とを有している。周側板は、左側壁と、右側壁と、背壁とを有している。背壁は、前板と対向している。左側壁及び右側壁は、背壁に連なっている。左側壁及び右側壁の幅は、前板及び背壁の幅よりも大きい。左側壁及び右側壁には、取っ手が設けられている。
【０００３】
なお、その他の従来例として、例えば実開昭５６−７４２５１号公報（特許文献２）に記載の瞬間湯沸器が知られている。特許文献２に記載の瞬間湯沸器は、器体と、取っ手とを有している。器体は、第１側面と、第２側面と、第３側面と、第４側面と、上面と、底面とを有している。第１側面及び第３側面は、互いに対向している。第２側面と第４側面は、互いに対向している。第１側面及び第３側面の幅は、第２側面及び第４側面の幅よりも狭い。取っ手は、第２側面及び第４側面に沿って回動可能に、第２側面及び第４側面の上面側の端付近において、器体に取り付けられている。
【先行技術文献】
【特許文献】
【０００４】
【特許文献１】実用新案登録第２５４４２８０号公報
【特許文献２】実開昭５６−７４２５１号公報
【発明の概要】
【発明が解決しようとする課題】
【０００５】
作業者は、取っ手に手をかけて特許文献１に記載の給湯器を運搬する。しかしながら、取っ手は左側壁及び右側壁に設けられているため、左側壁（又は右側壁）と住宅の壁面とが対向するように特許文献１に記載の給湯器を配置しようとする場合には、作業者が住宅の壁面と左側壁（又は右側壁）との間に手を挟んでしまうおそれがある。
【０００６】
本発明は、上記のような従来技術の問題点に鑑みてなされたものである。より具体的には、本発明は、運搬の際の作業性を改善することが可能な温水装置を提供する。
【課題を解決するための手段】
【０００７】
本発明の一態様に係る温水装置は、第１側板と、第２側板とを有する筐体と、第１側板に設けられる筐体を把持するための把持部とを備える。第２側板は、第１側板に連なる。第２側板の幅は、第１側板の幅以上である。
【０００８】
本発明の一態様に係る温水装置においては、把持部が第１側板に設けられている。そのため、第２側板が住宅の壁面に対向するように設置される場合であっても、作業者が住宅の壁面との間に手を挟んでしまうことを抑止することができる。
【０００９】
上記の温水装置において、把持部は、第１側板に取り外し可能に取り付けられていてもよい。把持部は、温水装置の運搬後においては不要になる。この場合、運搬後に不要になった把持部を取り外すことができる。
【００１０】
上記の温水装置は、固定部材をさらに備えていてもよい。筐体には、第１側板を厚さ方向に貫通し、かつ、固定部材が通される貫通穴が設けられていてもよい。把持部は、貫通穴に通される固定部材により第１側板に取り付けられていてもよい。
【００１１】
上記の温水装置において、把持部は、グリップ部と、支持部とを有していてもよい。グリップ部は、第１側板の幅方向に沿って延在し、かつ、第１側板から離間されていてもよい。支持部は、グリップ部から第１側板に向かって延在していてもよい。
【００１２】
上記の温水装置において、筐体は、底板をさらに有していてもよい。底板は、底部と、第１側板と重なるように底部から折れ曲がる起立部を含んでいてもよい。貫通穴は、第１側板及び起立部を厚さ方向に貫通していてもよい。この場合、把持部をより強固に筐体に取り付けることが可能になる。
【００１３】
上記の温水装置において、起立部は、第１部分と、第２部分とを含んでいてもよい。第１部分は、底部に接続していてもよい。第２部分には、貫通穴が設けられていてもよい。第２部分は、第１部分よりも上方に張り出していてもよい。この場合、起立部に必要な部材の量を削減することにより、部材コストを低減することができる。
【００１４】
上記の温水装置において、筐体は、第１側板と対向し、かつ、筐体から取り外し可能な第３側板をさらに有していてもよい。
【００１５】
上記の温水装置において、筐体は、把持部を第１側板から取り外すことにより、固定部材により筐体を載置するための取り付け台に取り付け可能に構成されていてもよい。この場合には、把持部を取り付けるための構造と取り付け台に筐体を取り付けるための構造とを共通化することができる。
【発明の効果】
【００１６】
本発明の一態様に係る温水装置によると、第２側板が住宅の壁面に対向するように設置される場合であっても、作業者が住宅の壁面との間に手を挟んでしまうことを抑止することができる。
【図面の簡単な説明】
【００１７】
【図１】実施形態に係る温水装置１００の正面図である。
【図２】実施形態に係る温水装置１００の側面図である。
【図３】実施形態に係る温水装置１００の上面図である。
【図４】図２のＩＶ−ＩＶにおける断面図である。
【図５】図４の領域Ｖにおける拡大断面図である。
【図６】底板１５の斜視図である。
【図７】取り付け台４０に取り付けられた状態の実施形態に係る温水装置１００の斜視図である。
【図８】実施形態に係る温水装置１００の模式図である。
【発明を実施するための形態】
【００１８】
本発明の実施形態の詳細を、図面を参照しながら説明する。なお、以下の図面においては、同一又は相当する部分には同一の符号を付するものとし、重複する説明は繰り返さないものとする。
【００１９】
（実施形態に係る温水装置の構成）
以下に、実施形態に係る温水装置１００の構成を、図１〜図８を参照して説明する。
【００２０】
図１、図２及び図３に示すように、実施形態に係る温水装置１００は、筐体１０と、把持部２０と、固定部材３０とを有している。筐体１０は、第１側板１１と、第２側板１２と、第３側板１３と、第４側板１４と、底板１５と、天板１６とを有している。
【００２１】
第２側板１２は、第１側板１１に連なっている。第３側板１３は、第２側板１２に連なっている。第３側板１３は、第１側板１１と対向している。第４側板１４は、第３側板１３及び第１側板１１に連なっている。第４側板１４は、第２側板１２に連なっている。底板１５は、設置面と対向している。天板１６は、底板１５と対向している。以下においては、底板１５から天板１６に向かう方向を、上方という。実施形態に係る温水装置１００は、第２側板１２又は第４側板１４のいずれかが、住宅の壁面Ｗに対向するように配置されている。
【００２２】
第１側板１１及び第３側板１３は、幅Ｗ１を有している。第２側板１２及び第４側板１４は、幅Ｗ２を有している。幅Ｗ２は、幅Ｗ１以上である。幅Ｗ２は、幅Ｗ１よりも大きくてもよい。すなわち、幅Ｗ２は、幅Ｗ１より小さくなければよい。
【００２３】
図４（図４中においては、筐体１０の内部構造は省略されている）及び図５に示すように、筐体１０には、貫通穴１７が設けられている。貫通穴１７は、第１側板１１を厚さ方向に貫通している。すなわち、貫通穴１７は、筐体１０の外部から内部に向かう方向に第１側板１１を貫通している。貫通穴１７の個数は、好ましくは複数である。図示されている貫通穴１７の個数は２であるが、貫通穴１７の個数は、３以上であってもよい。
【００２４】
貫通穴１７は、第１側板１１の高さ方向（第１側板１１の底板１５側の端から第１側板１１の天板１６側の端へ向かう方向）における中央よりも下方に設けられていることが好ましい。貫通穴１７は、第１側板１１の幅方向における中央部に設けられていることが好ましい。
【００２５】
底板１５は、好ましくは、起立部１５ａと、底部１５ｄとを有している。起立部１５ａは、底部１５ｄから第１側板１１に沿って上方に向かって折れ曲がっている。起立部１５ａは、第１側板１１に沿っている。起立部１５ａは、第１側板１１と重なるように配置されている。起立部１５ａが設けられる場合には、貫通穴１７は、第１側板１１を厚さ方向に貫通するのみならず、起立部１５ａを厚さ方向に貫通している。
【００２６】
図６に示すように、起立部１５ａは、第１部分１５ｂと、第２部分１５ｃとを有している。第１部分１５ｂは、底部１５ｄに接続している。第２部分１５ｃには、貫通穴１７が設けられている。第２部分１５ｃは、第１部分１５ｂよりも上方に張り出している。第２部分１５ｃが設けられる数は、貫通穴１７が設けられる数に対応している。
【００２７】
第３側板１３は、好ましくは、筐体１０から取り外し可能となっている。第３側板１３を筐体１０から取り外すことにより、筐体１０内に収納されている実施形態に係る温水装置１００の各部品のメンテナンスを行うことができる。なお、第１側板１１は、筐体１０から取り外し不能となっていてもよい。
【００２８】
第３側板１３は、好ましくは、第１側板１１とは反対側に向かって突出している。これにより、実施形態に係る温水装置１００の運搬時に、第３側板１３側に手をかけることができるようになる。第３側板１３は、好ましくは、意匠面となっている。第３側板１３には、好ましくは、排気口が設けられている。排気口は、第３側板１３を厚さ方向に貫通している。
【００２９】
図３に示すように、把持部２０は、第１側板１１に取り付けられている。好ましくは、把持部２０は、第１側板１１に取り外し可能に取り付けられている。把持部２０は、筐体１０を把持するために設けられる部分である。把持部２０は、グリップ部２１と、第１支持部２２と、第２支持部２３とを有している。
【００３０】
グリップ部２１は、好ましくは、第１側板１１の幅方向に沿って延在している。グリップ部２１は、第１側板１１から離間して配置されている。グリップ部２１は、第１端と、第２端とを有している。第１端及び第２端は、第１側板１１の幅方向に置ける端である。第２端は、第１端の反対側の端である。
【００３１】
第１支持部２２は、第１端において、グリップ部２１に連結されている。第１支持部２２は、第１側板１１に向かって、グリップ部２１との連結部から延在している。第２支持部２３は、第２端において、グリップ部２１に連結されている。第２支持部２３は、第１側板１１に向かって、グリップ部２１との連結部から延在している。
【００３２】
把持部２０は、第１支持部２２及び第２支持部２３において、第１側板１１に取り付けられている。より具体的には、第１支持部２２及び第２支持部２３には、ネジ穴２４が設けられている。固定部材３０は、例えばネジである。把持部２０は、固定部材３０がネジ穴２４及び貫通穴１７に通されて第１側板１１に締結されることにより取り付けられる。なお、把持部２０は、固定部材３０をネジ穴２４から抜くことにより、第１側板１１から取り外すことができる。
【００３３】
把持部２０の形状は、上記のものに限られない。例えば、把持部２０は、第２支持部２３を有していなくてもよい（グリップ部２１及び第１支持部２２のみにより構成されていてもよい）。また、第１支持部２２及び第２支持部２３は、第１側板１１側の端から離れた位置において、グリップ部２１に連結されていてもよい。要するに、把持部２０は、実施形態に係る温水装置１００の運搬時において、作業者が把持可能な形状を有していればよい。
【００３４】
図７に示すように、筐体１０は、取り付け台４０に載置される。筐体１０は、把持部２０を第１側板１１から取り外すことにより、取り付け台４０に取り付け可能に構成されている。具体的には、筐体１０は、把持部２０を第１側板１１から取り外すとともに、固定部材３０を取り付け台４０に締結することにより、取り付け台４０に取り付けられる。すなわち、貫通穴１７及び固定部材３０は、把持部２０の取り付け及び取り付け台４０の取り付けのために、共用されていてもよい。
【００３５】
図８に示すように、実施形態に係る温水装置１００は、給湯経路５１と、風呂循環経路５２と、注湯経路５３とを有している。給湯経路５１は、上水を加熱する経路である。給湯経路５１は、配管５１ａと、配管５１ｂと、熱交換器５１ｃとを有している。配管５１ａの一方端は、上水道に接続されている。配管５１ａの他方端は、熱交換器５１ｃに接続されている。熱交換器５１ｃの他方端は、配管５１ｂの一方端に接続されている。配管５１ｂの他方端は、カラン等に接続されている。熱交換器５１ｃの近傍には、バーナ５１ｄが配置されている。
【００３６】
風呂循環経路５２は、浴槽６の湯水を加熱する経路である。風呂循環経路５２は、配管５２ａと、配管５２ｂと、熱交換器５２ｃとを有している。配管５２ａの一方端は、循環アダプタ６１に接続されている。配管５２ａの他方端は、熱交換器５２ｃに接続されている。配管５２ｂの一方端は、熱交換器５２ｃに接続されている。配管５２ｂの他方端は、循環アダプタ６１に接続されている。熱交換器５２ｃの近傍には、バーナ５２ｄが配置されている。なお、配管５２ａ上には、循環ポンプ５２ｅが設けられている。
【００３７】
注湯経路５３は、給湯経路５１から風呂循環経路５２に湯水を流入させる経路である。注湯経路５３は、配管５３ａと、注湯弁５３ｂとを有している。配管５３ａの一方端は、給湯経路５１に接続されている。より具体的には、配管５３ａの一方端は、配管５１ｂに接続されている。配管５３ａの他方端は、風呂循環経路５２に接続されている。より具体的には、配管５３ａの他方端は、配管５２ａに接続されている。注湯弁５３ｂは、配管５３ａの経路上に設けられている。
【００３８】
熱交換器５１ｃ、バーナ５１ｄ、熱交換器５２ｃ、バーナ５２ｄ、循環ポンプ５２ｅ及び注湯弁５３ｂは、筐体１０の内部に収納されている。バーナ５１ｄ及びバーナ５２ｄからの排気は、第３側板１３に設けられた排気口を介して筐体１０の外部に排出される。配管５１ａ、配管５１ｂ、配管５２ａ、配管５２ｂ及び配管５３ａの少なくとも一部は、筐体１０の内部に配置されている。
【００３９】
上記においては、実施形態に係る温水装置１００の例として、温水暖房装置を有しないものを例として説明したが、実施形態に係る温水装置１００は、温水暖房装置を有していてもよい。
【００４０】
循環アダプタ６１は、浴槽６内に設けられている。循環アダプタ６１は、吐出口と吸込口とを有している。
【００４１】
（実施形態に係る温水装置の動作）
以下に、実施形態に係る温水装置１００の動作について説明する。
【００４２】
まず、給湯動作を説明する。供給された上水は、配管５１ａを介して熱交換器５１ｃに供給される。熱交換器５１ｃに供給された上水は、熱交換器５１ｃにおいて加熱されて湯となる。この湯は、配管５１ｂを介してカラン等へ供給される。
【００４３】
次に、湯張り動作を説明する。供給された上水は、配管５１ａを介して熱交換器５１ｃに供給される。熱交換器５１ｃに供給された上水は、熱交換器５１ｃにおいて加熱されて湯となる。湯張り動作を行っている際には、注湯弁５３ｂは開状態となっている。そのため、この湯は、配管５３ａ、配管５２ｂ及び循環アダプタ６１の吐出口を介して浴槽６に供給される。
【００４４】
さらに、追い焚き動作を説明する。循環ポンプ５２ｅにより、循環アダプタ６１の吸込口から、浴槽６の湯が、図中の矢印の方向に吸い上げられる。この吸い上げられた湯は、配管５２ａを介して熱交換器５２ｃに供給され、昇温される。この昇温された湯水は、配管５２ｂ及び循環アダプタ６１の吐出口を介して、浴槽６に戻される。
【００４５】
（実施形態に係る温水装置の運搬・取り付け動作）
以下に、実施形態に係る温水装置１００の運搬動作及び取り付け動作を説明する。
【００４６】
第１に、作業者は、実施形態に係る温水装置１００の設置場所に、取り付け台４０を配置する。第２に、作業者は、把持部２０を握ることにより、実施形態に係る温水装置１００を運搬し、取り付け台４０の上に載置する。実施形態に係る温水装置１００を運搬する際、作業者は、把持部２０を握っている方とは逆の手で、第１側板１１とは反対側に突出する第３側板１３を支持してもよい。
【００４７】
第３に、作業者は、把持部２０を第１側板１１から取り外す。第４に、作業者は、固定部材３０を取り付け台４０に締結することにより、筐体１０を取り付け台４０に取り付ける。以上により、実施形態に係る温水装置１００の運搬及び取り付けが完了する。なお、実施形態に係る温水装置１００のメンテナンスを行う際には、取り付け台４０に固定されていない第３側板１３を取り外せば足りるため、筐体１０の取り付け台４０に対する固定を解除する必要はない。
【００４８】
（実施形態に係る温水装置の効果）
以下に、実施形態に係る温水装置１００の効果を説明する。
【００４９】
上記のとおり、実施形態に係る温水装置１００においては、把持部２０は、第１側板１１に取り付けられている。すなわち、実施形態に係る温水装置１００においては、把持部２０は、設置時に住宅の壁面Ｗに対向しない側の側面に取り付けられている。そのため、作業者は、実施形態に係る温水装置１００の運搬時に、壁面Ｗとの間に手を挟みにくく、運搬の際の作業性を改善することができる。
【００５０】
実施形態に係る温水装置１００において、貫通穴１７が第１側板１１と底板１５の起立部１５ａとが重なる位置に設けられている場合、貫通穴１７が設けられる位置の筐体１０が、二重構造となる。そのため、この場合には、把持部２０をより強固に筐体１０に取り付けることが可能になる。
【００５１】
実施形態に係る温水装置１００において、起立部１５ａが、第１部分１５ｂと第２部分１５ｃとを有している場合、起立部１５ａを設けるために必要な底板１５の部材量を減らすことができる。そのため、この場合には、実施形態に係る温水装置１００の製造コストを低減することができる。
【００５２】
実施形態に係る温水装置１００において、筐体１０が把持部２０を取り外すことにより固定部材３０で取り付け台４０に取り付け可能となっている場合、把持部２０を取り付けるための構造と筐体１０を取り付け台４０に取り付けるための構造とを共用化することができる。そのため、この場合には、筐体１０を取り付け台４０に取り付けるための構造を別途設けることが不要となる。すなわち、この場合には、実施形態に係る温水装置１００の製造コストを低減することができる。
【００５３】
上記のとおり、第３側板１３は、筐体１０から取り外し可能となっており、かつ、取り付け台４０に固定されていない。そのため、この場合には、筐体１０を取り付け台４０から取り外すことなく、筐体１０の内部のメンテナンスを行うことができる。
【００５４】
今回開示された実施形態はすべての点で例示であって、制限的なものではないと考えられるべきである。本発明の範囲は、上記した実施の形態ではなく特許請求の範囲によって示され、特許請求の範囲と均等の意味、および範囲内でのすべての変更が含まれることが意図される。
【産業上の利用可能性】
【００５５】
上記の実施形態は、温水装置に特に有利に適用される。
【符号の説明】
【００５６】
１００  温水装置、１０  筐体、１１  第１側板、１２  第２側板、１３  第３側板、１４  第４側板、１５  底板、１５ａ  起立部、１５ｂ  第１部分、１５ｃ  第２部分、１５ｄ  底部、１６  天板、１７  貫通穴、２０  把持部、２１  グリップ部、２２  第１支持部、２３  第２支持部、２４  ネジ穴、３０  固定部材、４０  取り付け台、５１  給湯経路、５１ａ，５１ｂ，５２ａ，５２ｂ，５３ａ  配管、５１ｃ，５２ｃ  熱交換器、５１ｄ，５２ｄ  バーナ、５２  風呂循環経路、５２ｅ  ポンプ、５３  注湯経路、５３ｂ  注湯弁、６  浴槽、６１  循環アダプタ、Ｗ  壁面、Ｗ１，Ｗ２  幅。
【図１】
2019095104.tif 000003
【図２】
2019095104.tif 000004
【図３】
2019095104.tif 000005
【図４】
2019095104.tif 000006
【図５】
2019095104.tif 000007
【図６】
2019095104.tif 000008
【図７】
2019095104.tif 000009
【図８】
2019095104.tif 000010